【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
コンピュータにより、受注生産品の設計処理を段階的に進める設計支援方法であって、
前記コンピュータは、
ネットワーク経由で、前記受注生産品に関する複数の仕様項目の仕様を定めるための設定データを受け付けるデータ受付手段と、
前記受注生産品に関する仕様項目の仕様として選択可能な仕様を表す仕様データと価格情報との対応情報を記憶した記憶手段と、
前記受注生産品の価格の見積り要求を、前記ネットワーク経由で受け付ける価格見積り手段と、
を備え、
当該設計支援方法は、
前記データ受付手段が、前記複数の仕様項目の仕様を定めるための設定データを、複数回に渡って受け付ける段階的な処理を含み、
前記段階的な処理には、
前記価格見積り手段が、前記見積り要求を受け付けると、当該段階的な処理の開始から当該見積り要求を受け付けるまでに前記データ受付手段が受け付けた設定データに該当する仕様データに付けられた価格情報に基づき、前記受注生産品の価格の見積り額を算出し、当該見積もり額を返信するステップが含まれることを特徴とする設計支援方法。
【請求項２】
請求項１記載の設計支援方法であって、
前記ステップにおいて、
前記価格見積り手段は、前記複数の仕様項目のうち、設定データ受付け済みの仕様項目については、当該設定データに該当する仕様データに対応付けられた価格情報を前記記憶手段から読み出し、その他の仕様項目については、当該仕様項目についてあらかじめ定められた仕様データに対応付けられた価格情報を前記記憶手段から読み出して、当該読み出した価格情報に基づき、前記受注生産品の見積り額を算出することを特徴とする設計支援方法。
【請求項３】
請求項２記載の設計支援方法であって、
前記ステップにおいて、
前記価格見積り手段は、前記受付け済みの設定データに該当する仕様データに対応付けられた価格情報と、設定データ情報を受け付けていない仕様項目についてあらじめ定められた仕様データに対応付けられた価格情報とを、前記記憶手段から読み出し、前記見積り額の内訳として、前記見積り額とともに返信する、ことを特徴とする設計支援方法。
【請求項４】
請求項１、２および３のうちのいずれか１項に記載の設計支援方法であって、
前記記憶手段には、前記対応情報に代えて、
前記受注生産品に関する仕様項目の仕様として選択可能な使用に用いる組立て品の部品表データと、前記部品表データに含まれる部品の価格情報とが格納され、
前記ステップにおいて、前記価格見積り手段は、前記仕様項目に設定された設定データが表す仕様に用いられる組立て品を、当該組立て品の部品表データに基づき部品に展開し、当該部品の価格情報に基づき、前記見積り額を定める、ことを特徴とする設計支援方法。
【請求項５】
請求項１記載の設計支援方法であって、
前記記憶手段は、前記価格情報として、当該価格情報に対応付けられた仕様データが表す仕様の受注生産品の実績価格情報を記憶し、
前記価格見積り手段は、予め定めた仕様項目について受け付けた設定データに該当する仕様データに対応付けられた実績価格情報に基づき、前記見積り額を定めることを特徴とする設計支援方法。
【請求項６】
請求項１、２、３、４および５のうちのいずれか１項に記載の設計支援方法であって、
前記価格見積り手段が、前記受注生産品の価格見積り履歴の送信要求を、前記ネットワーク経由で受け付けた場合、前記段階的な処理には、前記送信要求を受け付けるまでの各段階で前記価格見積り手段が定めた前記見積り額を、前記価格見積り手段が、前記受注生産品の価格の見積り履歴として返信するステップ、が含まれることを特徴とする設計支援方法。
【請求項７】
請求項１、２、３、４、５および６のうちのいずれか１項に記載の設計支援方法であって、
前記記憶手段には、前記受注生産品の予算範囲を表す予算範囲情報と当該予算範囲の予算で前記受注生産品の各仕様項目に設定可能な仕様データとの対応情報が格納され、
当該設計支援方法は、
前記価格見積り手段が、前記受注生産品の予算情報を、前記ネットワークを介して受け付けると、前記受注生産品に関する各仕様項目の仕様データとして、前記予算情報が表す予算が属する予算範囲に対応付けられた仕様データを返信するステップを含むことを特徴とする設計支援方法。
【請求項８】
ネットワーク上のコンピュータとの間で、受注生産品の設計処理を段階的に進める情報処理装置であって、
前記受注生産品に関する仕様項目の仕様として選択可能な仕様を表す仕様データと価格情報との対応情報を記憶した記憶手段と、
前記受注生産品に関する複数の仕様項目の仕様を定めるための設定データを、前記ネットワーク経由で段階的に受け付けるためのデータ受付手段と、
前記受注生産品の価格の見積り要求を受け付けると、前記記憶部に記憶された価格情報のうち、前記設計処理の開始から当該見積り要求を受け付けるまでに前記データ受付手段が受け付けた設定データに該当する仕様データに付けられた価格情報に基づき、前記受注生産品の価格の見積り額を算出し、当該見積り額を返信データとして出力する価格見積り手段と、
を有することを特徴とする情報処理装置。
【請求項９】
請求項８記載の情報処理装置であって、
前記価格見積り手段は、前記複数の仕様項目のうち、前記設計処理の開始から当該見積り要求を受け付けるまでに設定データ受付け済みの仕様項目については、当該受付け済みの設定データに該当する仕様データに対応付けられた価格情報を前記記憶手段から読み出し、その他の仕様項目については、当該仕様項目についてあらかじめ定められた仕様データに対応付けられた価格情報を前記記憶手段から読み出して、当該読み出した価格情報に基づき、前記受注生産品の見積り額を算出する、ことを特徴とする情報処理装置。
【請求項１０】
請求項９記載の情報処理装置であって、
前記価格見積り手段は、、前記受付け済みの設定データに該当する仕様データに対応付けられた価格情報と、設定データ情報を受け付けていない仕様項目についてあらじめ定められた仕様データに対応付けられた価格情報とを、前記記憶手段から読み出し、前記見積り額の内訳として、前記見積り額とともに出力する、ことを特徴とする情報処理装置。
【請求項１１】
請求項８、９および１０のうちのいずれか１項に記載の情報処理装置であって、
前記記憶手段には、前記対応情報に代えて、
前記受注生産品に関する仕様項目の仕様として選択可能な使用に用いる組立て品の部品表データと、前記部品表データに含まれる部品の価格情報とが格納され、
前記価格見積り手段は、前記仕様項目に設定された設定データが表す仕様に用いられる組立て品を、当該組立て品の部品表データに基づき部品に展開し、当該部品の価格情報に基づき、前記見積り額を定める、ことを特徴とする情報処理装置。
【請求項１２】
請求項８記載の情報処理装置であって、
前記記憶手段は、前記価格情報として、当該価格情報に対応付けられた仕様データが表す仕様の受注生産品の実績価格情報を記憶し、
前記価格見積り手段は、前記複数の仕様項目のうち、予め定めた仕様項目について受け付けた設定データに該当する仕様データに対応付けられた実績価格情報に基づき、前記見積り額を定める、ことを特徴とする情報処理装置。
【請求項１３】
請求項９、１０、１１および１２のうちのいずれか１項に記載の情報処理装置であって、
前記価格見積り手段は、前記受注生産品の価格見積り履歴の出力要求を受け付けると、当該出力要求を受け付けるまでの各段階で定めた前記見積り額を、前記受注生産品の価格の見積り履歴として出力する、ことを特徴とする情報処理装置。
【請求項１４】
請求項９、１０、１１、１３および１２のうちのいずれか１項に記載の情報処理装置であって、
前記記憶手段には、前記受注生産品の予算範囲を表す予算範囲情報と当該予算範囲の予算で前記各仕様項目に設定可能な仕様データとの対応情報が格納され、
前記価格見積り手段は、前記受注生産品の予算情報を受け付けると、前記受注生産品に関する各仕様項目の仕様データとして、前記予算情報が表す予算が属する予算範囲に対応付けられた仕様データを出力する、ことを特徴とする情報処理装置。
【請求項１５】
情報処理装置によって実行されるプログラムであって、
前記情報処理装置は、
ネットワーク経由で、前記受注生産品に関する複数の仕様項目の仕様を定めるための設定データを受け付けるデータ受付手段と、
前記受注生産品に関する仕様項目の仕様として選択可能な仕様を表す仕様データと価格情報との対応情報を記憶した記憶手段と、
前記受注生産品の価格の見積り要求を、前記ネットワーク経由で受け付ける価格見積り手段と、
を備え、
当該プログラムは、
前記受注生産品に関する複数の仕様項目の仕様を定めるための設定データを、前記データ受付手段が、複数回に渡って受け付ける段階的な処理を含み、
当該段階的な処理において、
前記価格見積り手段が、前記受注生産品の価格の見積り要求を受け付けると、前記段階的な処理の開始から当該見積り要求を受け付けるまでに前記データ受付手段が受け付けた設定データに該当する仕様データに付けられた価格情報に基づき、前記受注生産品の価格の見積り額を算出し、当該見積もり額を返信する、
ことを特徴とするプログラム。
【請求項１６】
請求項１５記載のプログラムであって、
前記受注生産品の価格の見積り要求を受け付けた場合の前記処理として、前記価格見積り手段に、
前記複数の仕様項目のうち、前記段階的な処理の開始から当該見積り要求を受け付けるまでに設定データ受付け済みの仕様項目については、当該受付け済みの設定データに該当する仕様データに対応付けられた価格情報を前記記憶手段から読み出し、その他の仕様項目については、当該仕様項目についてあらかじめ定められた仕様データに対応付けられた価格情報を前記記憶手段から読み出して、当該読み出した価格情報に基づき、前記受注生産品の見積り額を算出する処理を、実行させる、ことを特徴とするプログラム。
【請求項１７】
請求項１６記載のプログラムであって、
前記価格見積り手段に、前記受付け済みの設定データにに該当する仕様データに対応付けられた価格情報と、仕様データを受け付けていない仕様項目についてあらじめ定められた仕様データに対応付けられた価格情報とを、前記記憶手段から読み出させ、前記見積り額の内訳として、前記見積り額とともに出力させる、ことを特徴とするプログラム。
【請求項１８】
請求項１４、１５および１６のうちのいずれか１項に記載のプログラムであって、
前記記憶手段には、前記対応情報に代えて、
前記受注生産品に関する仕様項目の仕様として選択可能な使用に用いる組立て品の部品表データと、前記部品表データに含まれる部品の価格情報とが格納され、
当該プログラムは、
前記仕様項目に設定された設定データが表す仕様に用いられる組立て品を、当該組立て品の部品表データに基づき部品に展開し、当該部品の価格情報に基づき、前記見積り額を定める処理を前記価格見積り手段に実行させることを特徴とするプログラム。
【請求項１９】
請求項１５記載のプログラムであって、
前記記憶手段は、前記価格情報として、当該価格情報に対応付けられた仕様データが表す仕様の受注生産品の実績価格情報を記憶し、
当該プログラムは、
予め定めた仕様項目について受け付けた設定データに該当する仕様データに対応付けられた実績価格情報に基づき、前記見積り額を定める処理を前記価格見積り手段に実行させることを特徴とするプログラム。
【請求項２０】
請求項１６、１７、１８および１９のうちのいずれか１項に記載のプログラムであって、
前記受注生産品の価格見積り履歴の出力要求を前記価格見積り手段が受け付けた場合、前記価格見積り手段に、前記送信要求を受け付けるまでの各段階で前記価格見積り手段が定めた前記見積り額を、前記受注生産品の価格の見積り履歴として出力する処理を実行させる、ことを特徴とするプログラム。
【請求項２１】
請求項１６、１７、１８、１９および２０のうちのいずれか１項に記載のプログラムであって、
前記記憶手段には、前記受注生産品の予算範囲を表す予算範囲情報と当該予算範囲の予算で前記受注生産品の各仕様項目に設定可能な仕様データとの対応情報が格納され、
当該プログラムは、
前記受注生産品の予算情報を前記価格見積り手段が受け付けると、前記受注生産品に関する各仕様項目の仕様データとして、前記予算情報が表す予算が属する予算範囲に対応付けられた仕様データを返信する処理を前記価格見積り手段に実行させることを特徴とするプログラム。
【請求項２２】
請求項１５、１６、１７、１８、１９、２０および２１のうちのいずれか１項に記載のプログラムが格納されたことを特徴とする、機械読み取り可能な記憶媒体。